(57)【要約】【課題】バックライトとしての蛍光灯をセットしたときの確実な保持と、その容易な解除とを両立させたバックライト用コネクタを提供する。【解決手段】コネクタハウジング２４に開閉可能に軸支され、開時に、蛍光灯３０がコネクタハウジング２４にセットされることを許容し、閉時に、セットされた蛍光灯３０を保持するアクチュエータ２３と、アクチュエータ２３の閉時に、コネクタハウジング２４に設けられた係合部（ロック爪２２ｔ）にアクチュエータ２３に設けられた被係合部２３ｈが係合してアクチュエータ２３を所定の拘束力で閉状態に保つロック機構７０と、ロック機構７０の拘束力を上回る開方向の力を付与するため、アクチュエータ２３の先端部に形成された切欠部２３ｃと、コネクタハウジング２４に、閉じられたアクチュエータ２３の切欠部２３ｃの近傍に位置して設けられた支台２１ｃとを備えたコネクタ２０。【選択図】図３
2009076305.tif 000002
【特許請求の範囲】
【請求項１】
バックライトとしての蛍光灯が着脱されるバックライト用コネクタであって、
コネクタハウジングに開閉可能に軸支され、開時に、蛍光灯が上記コネクタハウジングにセットされることを許容し、閉時に、セットされた蛍光灯を保持するアクチュエータと、
上記コネクタハウジングに設けられた係合部と上記アクチュエータに設けられた被係合部とから成り、上記アクチュエータの閉時に、上記係合部に上記被係合部が係合して上記アクチュエータを所定の拘束力で閉状態に保つロック機構と、
該ロック機構によって閉状態とされたアクチュエータに上記ロック機構の拘束力を上回る開方向の力を付与するため、上記アクチュエータの先端部に形成された切欠部と、
上記コネクタハウジングに、上記アクチュエータが閉じられたとき、そのアクチュエータの切欠部の近傍に位置して設けられた支台とを備えたことを特徴とするバックライト用コネクタ。
【請求項２】
上記コネクタハウジングに、上記蛍光灯のリード線が挿通される挿通溝を形成し、
上記コネクタハウジングに、上記挿通溝の両側壁に位置付けられた一対の挟持部及びこれら挟持部同士を近接方向に変形させるための被押圧部を有する端子を取り付け、
上記アクチュエータに、その開時に上記端子の上記被押圧部から離間し、閉時に上記被押圧部を押圧する端子押圧部を設けた請求項１に記載のバックライト用コネクタ。
【発明の詳細な説明】
【技術分野】
【０００１】
本発明は、液晶ディスプレイに用いられるバックライト用コネクタに係り、特に、バックライトとしての蛍光灯をコネクタハウジングにアクチュエータを開いてセットし、セットした蛍光灯をアクチュエータを閉じて保持するバックライト用コネクタに関する。
【背景技術】
【０００２】
例えば、液晶テレビのディスプレイの背面にあってそこを照射するバックライトとしての蛍光灯は、その直径が２．６乃至５．０ｍｍと言った極細のもので、多数本、ディスプレイに近接して平行に配設されている。そして、このバックライトに電力を供給するために蛍光灯から外部に引き出されているリード線は、通常、電源に連なる電源線、基板などに、直接、はんだ付けされている。
【０００３】
このため、特許文献１の段落０００４にて「近接する端末線（リード線）の先端を限られた空間内で高温の半田付け作業をしなければならず、仕上がりも不均一になる可能性がある」との問題提起がなされている通り、このリード線のはんだ付け工程は極めて煩雑で、上記ディスプレイの生産性、品質を阻害することになっていた。
【０００４】
これを解決するために、特許文献１では、バックライト用コネクタとして、バックライトとしての蛍光灯がセットされるコネクタハウジングと、コネクタハウジングに開閉自在に軸支されたアクチュエータと、コネクタハウジングに装着され蛍光灯のリード線を挟持する一対の接点部が形成された端子とを備え、アクチュエータに、その開時に端子を押圧して弾性変形させて上記接点部の間隔を広げ、閉時に端子から離間して弾性変形された端子が元に戻ることを利用して上記接点部の間隔を狭めるカム部を設けた発明が記載されている。
【０００５】
この発明によれば、アクチュエータを開いて蛍光灯をコネクタハウジングにセットするときには、カム部によって、端子に形成された一対の接点部の間隔が広げられた状態となっているため、それら接点部の間に蛍光灯のリード線を進入させることができ、その後、アクチュエータを閉じると、カム部が端子から離脱するため、端子の弾性力によって接点部の間隔が元の状態まで狭まり、それら接点部に蛍光灯のリード線が挟持されて電気的接続が得られる。よって、液晶ディスプレイの生産性を阻害する要因となるはんだ付け作業が不要となる。
【０００６】
【特許文献１】特開２００５−２５９３７０号公報
【発明の開示】
【発明が解決しようとする課題】
【０００７】
上記発明においては、アクチュエータが閉じられている限りは、一対の接点部が蛍光灯のリード線を挟持し、電気的接続が確保される。しかし乍ら、ディスプレイの組立作業中に工具が誤ってアクチュエータに触れたり、或いは何らかの不測の力がアクチュエータに作用した場合など、一旦閉じられたアクチュエータが意に反して開かれると、一対の接点部同士が離間されるため、接点部とリード線との電気的接続が損なわれてしまう。
【０００８】
また、上記コネクタは液晶ディスプレイの裏面にて数十ミリのピッチで多数並列配置されているため、これらコネクタの各々に蛍光灯をセットした後、いずれかの蛍光灯の不導通が検出され、その交換を余儀なくされた場合、アクチュエータを摘んで開動しようとしても、指がコネクタ同士の間に入らず或いはアクチュエータの背が低くて摘み難いため、アクチュエータを的確に開動させることが困難となる。よって、アクチュエータの開動の作業性の改善も望まれていた。
【０００９】
以上の事情を考慮して創案された本発明の目的は、バックライト用コネクタにバックライトとしての蛍光灯をセットしたときの確実な保持と、その容易な解除とを両立させたバックライト用コネクタを提供することにある。
【課題を解決するための手段】
【００１０】
上記目的を達成するために創案された本発明は、バックライトとしての蛍光灯が着脱されるバックライト用コネクタであって、  コネクタハウジングに開閉可能に軸支され、開時に、蛍光灯が上記コネクタハウジングにセットされることを許容し、閉時に、セットされた蛍光灯を保持するアクチュエータと、上記コネクタハウジングに設けられた係合部と上記アクチュエータに設けられた被係合部とから成り、上記アクチュエータの閉時に、上記係合部に上記被係合部が係合して上記アクチュエータを所定の拘束力で閉状態に保つロック機構と、該ロック機構によって閉状態とされたアクチュエータに上記ロック機構の拘束力を上回る開方向の力を付与するため、上記アクチュエータの先端部に形成された切欠部と、上記コネクタハウジングに、上記アクチュエータが閉じられたとき、そのアクチュエータの切欠部の近傍に位置して設けられた支台とを備えたものである。
【００１１】
また、上記コネクタハウジングに、上記蛍光灯のリード線が挿通される挿通溝を形成し、上記コネクタハウジングに、上記挿通溝の両側壁に位置付けられた一対の挟持部及びこれら挟持部同士を近接方向に変形させるための被押圧部を有する端子を取り付け、上記アクチュエータに、その開時に上記端子の上記被押圧部から離間し、閉時に上記被押圧部を押圧する端子押圧部を設けてもよい。
【発明の効果】
【００１２】
本発明に係るバックライト用コネクタによれば、バックライトとしての蛍光灯をセットした際の確実な保持とその容易な解除とを両立させることができる。
【発明を実施するための最良の形態】
【００１３】
以下、本発明の好適実施形態を添付図面に基づいて説明する。
【００１４】
図１は液晶ディスプレイ（図示せず）の背面に配設される反射板１０の辺りを液晶ディスプレイ側から見た模型的斜視図、図２は同反射板１０の辺りを反液晶ディスプレイ側から見た模型的斜視図である。
【００１５】
反射板１０が取り付けられた板状のフレーム１１には、本実施形態に係るバックライト用コネクタ（以下コネクタ）２０が、対を成すようにして複数並設されており、各対のコネクタ２０の間には、バックライトとしての蛍光灯３０が装着されている。本実施形態においては、コネクタ２０は９対あってそこに９本の蛍光灯３０が装着されている例を示したが、蛍光灯３０の数は液晶ディスプレイの大きさなどに応じて必要数量が異なる。また、本実施形態では、蛍光灯３０は、棒状（Ｉ字状）のものが用いられているが、Ｕ字状のものであっても良い。また、本実施形態では、コネクタ２０がフレーム１１に取り付けられているが、これに限らず、コネクタ２０を液晶ディスプレイのシャシなどに取り付けても、或いは直接反射板１０に取り付けても良い。
【００１６】
図３は図１の部分拡大図である。
【００１７】
コネクタ２０は、フレーム１１に固定される固定部２１、この固定部２１に対して蛍光灯３０の軸方向にスライド可能な浮動部２２、下部が固定部２１に上部が浮動部２２に夫々固定され、下部にて電源部材（電源ボード）６０に接触し、上部にて蛍光灯３０のリード線３０ｒ（図４参照）に接触する端子４０、浮動部２２に回動可能に支承されたアクチュエータ２３などを備えている。固定部２１及び浮動部２２は、コネクタハウジング２４を構成し、アクチュエータ２３は、その開時に、蛍光灯３０がコネクタハウジング２４の浮動部２２にセットされることを許容し、閉時に、セットされた蛍光灯３０を保持するものである。
【００１８】
図４は図３のIV−IV線断面図、図５は図４のV−V線断面図、図６はコネクタ２０の各構成部品を示す分解斜視図である。
【００１９】
固定部２１は、箱状のモールド品の天井２１ｔと背面２１ｈとを欠落させた外形となっており、その正面２１ｓの下部に、電源部材６０（電源ボード）６０の凸状部６０ａ（図２参照）が挿抜される挿入窓２１ｍが形成され、天井２１ｔの周囲に、フランジ２１ｆが形成され、側面２１ｗの中央に、舌片バネ２１ｂが形成されている。かかる固定部２１は、フレーム１１に形成された矩形の孔１１ａに上方から押し込まれ、フランジ２１ｆの下面と舌片バネ２１ｂの上面との間にフレーム１１を挟持することで、そこに容易に固定される。
【００２０】
固定部２１の正面２１ｓの内側には、左右の側面２１ｗを架け渡すように形成された前方滑動面２１ｋが、蛍光灯３０の軸方向に所定長さ設けられている。この前方滑動面２１ｋには、浮動部２２の前方滑動部２２ｋが蛍光灯３０の軸方向にスライド可能（滑動可能）に載置されている。これにより、浮動部２２が、固定部２１に、蛍光灯３０の軸方向にスライド可能に支持される。また、固定部２１の左右の側面２１ｗの上のフランジ２１ｆには、後述する支台２１ｃが夫々設けられている。
【００２１】
一方、浮動部２２は、アクチュエータ２３の軸２３ｊを支承する軸受部２２ｊ、蛍光灯３０のリード線３０ｒが挿通されるリード線挿通溝（以下挿通溝）２２ｍ、挿通溝２２ｍに端子４０の芯線接触部４１の挟持部４１ｋを臨ませる端子溝２２ｎ、アクチュエータ２３が閉じられたときアクチュエータ２３に設けられた端子押圧部２３ｑが進入し得る押圧部溝２２ｐ、アクチュエータ２３が閉じられたときアクチュエータ２３に設けられた被係合部２３ｈと係合する係合部としてのロック爪２２ｔなどを備えている。かかる浮動部２２は、固定部２１の天井２１ｔを塞ぐようにそこに位置付けされる。
【００２２】
浮動部２２の後部には、前方滑動部２２ｋよりも高い位置に、上方滑動部２２ｋｋが設けられている。この上方滑動部２２ｋｋは、固定部２１の左右の側面２１ｗの上のフランジ２１ｆと、固定部２１に装着される後述する蓋部５０のフランジ５０ｆとに、蛍光灯３０の軸方向に滑動可能に載置されている。これにより、浮動部２２が、固定部２１に、蛍光灯３０の軸方向にスライド可能に支持される。
【００２３】
また、浮動部２２の左右の側面には、ボス２２ｂが突設されている。これらボス２２ｂは、固定部２１の左右の側面２１ｗの内側に蛍光灯３０の軸方向に沿って形成された溝状のレール２１ｒに係合されている。これにより、浮動部２２が固定部２１に対して蛍光灯３０の軸方向に案内され、且つ浮動部２２が固定部２１から上方に離脱することが防止される。
【００２４】
端子４０は、蛍光灯３０のリード線３０ｒに接する芯線接触部４１、その下方に位置して浮動部２２に装着される長方形板状の第一基部４２、そこから下方に延びる可撓部４３、更にその下方に位置して固定部２１に装着される第二基部４４、そこから水平方向に延びて電源部材６０に接し得る電源接触部４５などを備えている。
【００２５】
芯線接触部４１及び第一基部４２は、浮動部２２にスリット状に形成された端子溝２２ｎに下方から挿通され、第一基部４２が端子溝２２ｎに圧入されることで、即ち第１基部４２の側端に設けられた矢尻４２ｙが端子溝２２ｎの側面に食い込むことで、浮動部２２に装着されている。芯線接触部４１は、第一基部４２に連なる一対のアーム４１ａ、その先端をＵ字状に形成して対向された挟持部４１ｋ、その反対側に三角状に突き出して形成された被押圧部４１ｈを有する。
【００２６】
一対の挟持部４１ｋは、浮動部２２の挿通溝２２ｍ内に蛍光灯３０のリード線３０ｒが挿通可能となるように、挿通溝２２ｍの両側壁から僅かに突出されている。一対の被押圧部４１ｈは、浮動部２２の押圧部溝２２ｐ内に突出されており、アクチュエータ２３が閉じられたとき押圧部溝２２ｐ内に進入する端子押圧部２３ｑに押圧されるようになっている。アクチュエータ２３の端子押圧部２３ｑが端子４０の被押圧部４１ｈを押圧すると、左右のアーム４１ａが幅方向内側に弾性変形し、左右の挟持部４１ｋが蛍光灯３０のリード線３０ｒを弾性的に挟持する。これにより、蛍光灯３０と端子４０とが電気的に導通される。
【００２７】
端子４０の第二基部４４は、長方形板状の板体４４ａと、板体４４ａの四隅から水平方向に延出された脚状の圧入部４６とを有し、圧入部４６が固定部２１の内側に形成された圧入孔（図示せず）に圧入され、圧入部４６の先端に設けた矢尻４６ｙが圧入孔に食い込むことで、固定部２１に装着されている。端子４０の電源接触部４５は、断面がコの字状をなす第二基部４４の底部を切り起こして山形に形成してなり、そこに弾性が付与されている。
【００２８】
端子４０の可撓部４３は、第１基部４２と第２基部４４との間に設けられ、それらが蛍光灯３０の軸方向に相対的に移動することを許容するものである。可撓部４３は、一端が第１基部４２に他端が第２基部４４に接続され、渦巻き状に形成された細い板体からなり、第１基部４２と第２基部４４とが相対移動された際に弾性的な復元力を発揮する。
【００２９】
アクチュエータ２３は、天壁２３ｔと、そこに直角に連なる一対の横壁２３ｙとを備え、横壁２３ｙに設けられた軸２３ｊが浮動部２２の軸受部２２ｊに回動可能に支承されている。天壁２３ｔの内面には、アクチュエータ２３が閉じられたとき、浮動部２２の押圧部溝２２ｐに進入されて端子４０の被押圧部４１ｈを押圧する端子押圧部２３ｑが板状に垂下して形成されていると共に、浮動部２２の挿通溝２２ｍに進入されて蛍光灯３０のリード線３０ｒを押さえて適正位置まで押し込むリード線押圧部２３ｒが板状に垂下して形成されている。
【００３０】
また、横壁２３ｙの先端側（軸２３ｊのある側を後端側、その反対側を先端側と言う）には、アクチュエータ２３を閉じたとき、浮動部２２に設けたロック爪２２ｔと係合する被係合部２３ｈが設けられている。これらロック爪２２ｔと被係合部２３ｈとは、アクチュエータ２３を閉じたとき、アクチュエータ２３を所定の拘束力で閉状態に保つロック機構７０を構成する。
【００３１】
ロック爪２２ｔは、図７、図８に示すように、樹脂で浮動部２２と一体形成された脚部２２ｔａと爪部２２ｔｂとを有する。爪部２２ｔｂは、上部斜面２２ｔｃと下部斜面２２ｔｄと側部斜面２２ｔｅと各斜面が交わる部分に形成された頂部２２ｔｆとを有していて、正面（図７（ａ）参照）から見て略山状に形成され、上面（図７（ｃ）参照）から見て略三角状に形成されている。他方、アクチュエータ２３の横壁２３ｙには、その下部に、傾斜して形成された誘い込み部２３ｙａが設けられ、上部に、被係止部２３ｈとして平面状の被係止面２３ｙｂが設けられている。
【００３２】
アクチュエータ２３が閉じ方向に回動されると、横壁２３ｙの下部に設けた誘い込み部２３ｙａがロック爪２２ｔの爪部２２ｔｂの上部斜面２２ｔｃ及び側部斜面２２ｔｅに当たり、それら斜面に乗り上がり、ロック爪２２ｔの脚部２２ｔａが内方（図８の左方）に変形される。アクチュエータ２３の閉方向の回動が更に進行すると、アクチュエータの横壁２３ｙの内面がロック爪２２ｔの頂部２２ｔｆに乗り上がり、爪部２２ｔｂを通り過ぎ、図８に仮想線で示すように、横壁２３ｙの上部に設けた被係止面２３ｙｂの内側縁部２３ｙｃが爪部２２ｔｂの下部斜面２２ｔｄの下端に当接する。
【００３３】
その後、アクチュエータ２３に開方向の力が加えられても、その力が所定の力以下であれば、横壁２３ｙの被係止面２３ｙｂの内側縁部２３ｙｃが爪部２２ｔｂの下部斜面２２ｔｄの下端に引っ掛かるのみであって、ロック爪の２２ｔの脚部２２ｔａが内方に撓まないため、アクチュエータ２３が開くことはない。すなわち、アクチュエータ２３は、一旦閉じられると、所定の拘束力でロック状態に保持される。これらロック爪２２ｔと被係止部２３ｈとは、ロック機構７０を構成する。
【００３４】
アクチュエータ２３に上記拘束力を上回る開方向の力が加えられると、横壁２３ｙの被係止面２３ｙｂの内側縁部２３ｙｃが爪部２２ｔｂの下部斜面２２ｔｄに乗り上がり、脚部２２ｔａが内方に変形する。アクチュエータ２３の開方向の回動が更に進行すると、アクチュエータ２３の横壁２３ｙの内面が爪部２２ｔｂの頂部２２ｔｆに乗り上がって滑って爪部２２ｔｂを通り過ぎ、最終的にアクチュエータ２３が開かれた状態となる。
【００３５】
図３、図６に示すように、アクチュエータ２３の横壁２３ｙの下部の最先端には、閉じられたアクチュエータ２３の横壁２３ｙの下面と浮動部２２のフランジ２１ｆの上面との間に隙間を形成するように、切欠部２３ｃが設けられている。この切欠部２３ｃによって横壁２３ｙの最先端に突起部２３ｄが形成され、この突起部２３ｄの下面は、閉じられたアクチュエータ２３にロック機構７０の拘束力を上回る開方向の力を付与するための入力部となる。
【００３６】
固定部２１のフランジ２１ｆの上面は、アクチュエータ２３が閉じられたとき、切欠部２３ｃすなわち突起部２３ｄの近傍に位置させて、アクチュエータ２３を開くときに上記隙間に挿入されるロッド状の工具の支点となる支台２１ｃが設けられている。支台２１ｃは、上記隙間に挿入された工具を梃子として作動させるときの支点となる。また、工具の先端は突起部２３ｄの下面に当接してアクチュエータ２３を開く作用点となり、工具の基端が入力のための力点となる。
【００３７】
図４〜図６に示すように、固定部２１の背面２１ｈには、蓋部５０が背面２１ｈを塞ぐようにして取り付けられている。蓋部５０は、固定部２１の側面２１ｗのフランジ２１ｆと連接するフランジ５０ｆ、フランジ５０ｆから下方に延出された後壁５０ｗ、後壁５０ｗの左右両端から前方に延出された側壁５０ｓ、側壁５０ｓに設けられた係止突起５０ｋなどを備えている。この蓋部５０は、固定部２１の背面２１ｈに後方から装着され、係止突起５０ｋが固定部２１の側面２１ｗに形成された図示しない係止凹部に係合され、固定部２１に一体的に組み付けられる。
【００３８】
以上述べた固定部２１、浮動部２２、アクチュエータ２３、端子４０、蓋部５０は、次のようにして組み立てられ、コネクタ２０となる。
【００３９】
先ず、図６に示す浮動部２２の端子溝２２ｎに、端子４０の芯線接触部４１及び第１基部４２を下から上に向けて圧入する。これにより、端子４０の挟持部４１ｋが浮動部２２のリード線挿通溝２２ｍに臨み、端子４０の被押圧部４１ｈが浮動部２２の押圧溝２２ｐに突出して位置付けされ、端子４０の第１基部４２に設けた矢尻４２ｙが浮動部２２の端子溝２２ｎに食い込み、端子４０の第１基部４２が浮動部２２に固着される。こうして、浮動部２２に端子４０が組み付けられた浮動部・端子組み立て体が得られる。
【００４０】
次に、この浮動部・端子組み立て体を、固定部２１の背面２１ｈ側から正面２１ｓ側に向けて水平方向に固定部２１内に送り込む。この際、浮動部２２の左右側面に設けたボス２２ｂを、固定部２１の左右側面２１ｗに形成されたレール２１ｒに嵌め込み、浮動部２２の水平移動をガイドさせつつ、端子４０の第２基部４４を押圧する。これにより、端子４０の第２基部４４の四隅に設けられた４本の脚状の圧入部４６が、固定部２１の内側に設けた図示しない圧入孔に嵌め込まれ、圧入部４６の先端に設けた矢尻４６ｙが圧入孔に食い込む。この結果、端子４０の電源接触部４５が挿入窓２１ｍに臨むように位置付けられた状態で、第２基部４４が固定部２１に固着される。
【００４１】
ここで、第２基部４４の圧入部４６を固定部２１の圧入孔に嵌め込む際、押圧される第２基部４４は、板体４４ａとその四隅に設けた４本の脚状の圧入部４６とからテーブル状に構成されており、４本の圧入部４６を圧縮する方向に加えられる力に対して剛性が高いため、歪みなどが生じ難い。よって、浮動部２２のボス２２ｂが固定部２１のレール２１ｒにガイドされることで圧入孔に対向するように位置付けられた圧入部４６が、圧入孔からずれることが抑えられ、端子４０の第２基部４４が固定部２１に的確に固着される。
【００４２】
なお、浮動部・端子組み立て体を、固定部２１の背面から送り込む方法に替え得る手順として、浮動部・端子組み立て体を固定部２１の天井２１ｔから降下させ、降下させた浮動部・端子組み立て体を正面２１ｓ方向に前進させることが考えられるが、この場合、浮動部・端子組み立て体を降下させる方向と前進させる方向とが相違するため、浮動部・端子組み立て体を固定部２１に組み付ける組み立て機が複雑化し、コストアップが避けられない。
【００４３】
浮動部・端子組み立て体を固定部２１の背面２１ｈから固定部２１内に前進させる際、浮動部・端子組み立て体は固定部２１より背が高いため、浮動部・端子組み立て体の浮動部２２の部分が固定部２１から上方に突き出るが、固定部２１の背面２１ｈ及び天井２１ｔは抜かれていて何も存在しないので、浮動部・端子組み立て体は何の支障もなく固定部２１の背面２１ｈから固定部２１内に前進することができる。こうして、浮動部・端子組み立て体に固定部２１が組み付けられた浮動部・端子・固定部組み立て体が得られる。
【００４４】
続いて、この浮動部・端子・固定部組み立て体に、蓋部５０を組み付ける。具体的には、浮動部・端子・固定部組み立て体の固定部２１の背面２１ｈに蓋部５０を対向させ、その蓋部５０を前進させることで、蓋部５０の側壁５０ｓを固定部２１の側面２１ｗの内側に押し込む。これにより、蓋部５０の側壁５０ｓに設けた係止突起５０ｋが固定部２１の側面２１ｗに形成された図示しない係止凹部に係合され、蓋部５０が固定部２１に固着される。この結果、固定部２１の背面２１ｈが蓋部５０で塞がれ、固定部２１のフランジ２１ｆと蓋部５０のフランジ５０ｆとが面一となるように一体的に連接される。連接されたフランジ２１ｆ、５０ｆは、浮動部２２に形成された上方滑動部２２ｋｋの滑動面となる。こうして、浮動部・端子・固定部組み立て体に蓋部５０が組み付けられた浮動部・端子・固定部・蓋部組み立て体が得られる。
【００４５】
最後に、この浮動部・端子・固定部・蓋部組み立て体に、アクチュエータ２３を取り付ける。即ち、アクチュエータ２３を立てた状態（開放位置とした状態）でその軸２３ｊを上方から浮動部２２の軸受２２ｊに押し込む。こうしてコネクタ２０の組み立てが完了する。
【００４６】
斯様なコネクタ２０には次のようにして蛍光灯３０が装着される。
【００４７】
先ず、アクチュエータ２３を軸２３ｊ回りに回動させて略９０度立てた状態（開いた状態）とする。これにより、浮動部２２のリード線挿通溝２２ｍの上方が開放され、アクチュエータ２３の端子押圧部２３ｑが浮動部２２の端子押圧溝２２ｐ内に突出された端子４０の被押圧部４１ｈから離間する。このとき、端子４０にはアクチュエータ２３からの力が加わっていないため、浮動部２２のリード線挿通溝２２ｍ内に位置付けられた端子４０の一対の挟持部４１ｋの間隔は、蛍光灯３０のリード線３０ｒの直径よりも大きくなっている。よって、蛍光灯３０のリード線３０ｒをリード線挿通溝２２ｍに上方から挿通させ、リード線３０ｒを一対の挟持部４１ｋの間に容易に的確に位置付けることができる。
【００４８】
その後、アクチュエータ２３を軸２３ｊ回りに回動させて略水平となるまで倒し、閉じた状態とする。これにより、浮動部２２のリード線挿通溝２２ｍがアクチュエータ２３の天壁２３ｔによって覆われ、アクチュエータ２３のリード線押圧部２３ｒが蛍光灯３０のリード線３０ｒを浮動部２２の挿通溝２２ｍに押し込み、アクチュエータ２３の端子押圧部２３ｑが浮動部２２の端子押圧溝２２ｐに進入して端子４０の被押圧部４１ｈを押圧する。すると、端子４０の一対のアーム４１ａが内方に撓み、一対の挟持部４１ｋ同士が近付き、それら挟持部４１ｋにリード線３０ｒが挟持される。こうして蛍光灯３０のリード線３０ｒとコネクタ２０の端子４０とが導通される。これと同時に、閉位置となったアクチュエータ２３の被係合部２３ｈが浮動部２２のロック爪２２ｔに係合し、これら被係合部２３ｈ及びロック爪２２ｔから成るロック機構７０によって、アクチュエータ２３が所定の拘束力で閉状態に保たれる。
【００４９】
本実施形態に係るコネクタ２０によれば、アクチュエータ２３を開いて蛍光灯３０をセットした後、アクチュエータ２３を閉じるだけで、蛍光灯３０のリード線３０ｒと端子４０との接続、及び蛍光灯３０の保持が完了する。
【００５０】
また、保持した蛍光灯３０が熱伸縮した場合でも、固定部２１に対して浮動部２２が蛍光灯３０の軸方向にスライドできるので、コネクタ２０及び蛍光灯３０に、蛍光灯３０の熱伸縮による応力が発生することはない。
【００５１】
蛍光灯３０の熱伸縮によって浮動部２２が固定部２１に対して移動してた際、ロック爪２２ｔが浮動部２２に設けられ、被係合部２３ｈが浮動部２２に取り付けたアクチュエータ２３に設けられているので、ロック爪２２ｔと被係合部２３ｈとが一体的に移動することになり、ロック爪２２ｔと被係合部２３ｈとの相対位置がずれることがなく、安定したロックとすることができる。
【００５２】
コネクタ２０への電源の接続は、電源部材６０として通常のプラグの如きもの、或いはＦＰＣ（フレキシブルプリントサーキット）やＦＦＣ（フレキシブルフラットケーブル）のような柔軟基板の如きもの、更には導線を配してなるＰＣＢ（プリントサーキットボード）の如きものなどを用意し、それを固定部２１の挿入窓２１ｍに嵌入するだけで、極めて簡単である。勿論、前述のようなリード線のはんだ付けなど、無用である。
【００５３】
コネクタ２０に装着された蛍光灯３０は次のようにして取り外される。
【００５４】
被係合部２３ｈとロック爪２２ｔの係合を解いてアクチュエータ２３を開動させるため、例えばドライバのような工具をアクチュエータ２３の切欠部２３ｃと固定部２１の支台２１ｃとの間に挿通し、梃子の要領でその工具を押し下げる。なお、被係合部２３ｈとロック爪２２ｔとの係合は左右の横壁２３ｙで行われているので、二股状の工具を用いることが好ましい。
【００５５】
すると、梃子の作用により、アクチュエータ２３の先端に形成された突起部２３ｄの下面に、ロック機構７０の拘束力を上回る上向きの力が作用し、被係合部２３ｈがロック爪２２ｔに乗り上がり、アクチュエータ２３が極めて簡単に開かれる。ここで、上向きの力が作用する突起部２３ｄは、アクチュエータ２３の軸２３ｊから最も離れているので、アクチュエータ２３に効率よく開方向のモーメントが生じる。よって、梃子の効果と相まって、工具を軽い力で操作することで、アクチュエータ２３を開くことができる。
【００５６】
工具を用いずに、アクチュエータ２３の左右の横壁２３ｙを指で摘んでアクチュエータ２３を開こうとしても、左右の横壁２３ｙが天壁２３ｔよりも前方に片持梁状に延出されているので、指で摘まれた左右の横壁２３ｙが内方に撓んで、左右の横壁２３ｙに形成された被係合部２３ｈのロック爪２２ｔへの係合が強まってしまい、その係合を解除できず、アクチュエータ２３を開けない。換言すれば、梃子ような工具を用いて突起部２３ｄの下面に力を加えないと、アクチュエータ２３は非常に開動し難く、不用意に開放されるようなことはない。
【００５７】
このように本実施形態に係るコネクタ２０によれば、バックライトとしての蛍光灯３０をセットした際の確実な保持と、その容易な解除とを両立させることができる。すなわち、コネクタ２０に蛍光灯３０を装着した際、アクチュエータ２３を確実に閉位置にロックして端子４０とリード線３０ｒとの電気的接続を強固なものとでき、且つアクチュエータ２３を開動させて蛍光灯３０を取り外す必要があるときは、極めて容易にアクチュエータ２３のロックを解除できる。
【００５８】
このように、本実施形態に係るコネクタ２０によれば、確実なロックと容易なロック解除という相反する特性を両立できるので、電気的接続の信頼性向上と作業性（蛍光灯交換）・生産性（はんだ付け）の改善とを図ることができる。また、上述のように工具を用いなければロック解除できないので、意に反するロック解除も確実に防止できる。
【００５９】
本発明は上記実施形態に限定されるものではない。
【００６０】
本実施形態では、コネクタ２０は、反射板１０のフレーム１１に取り付けられているが、フレーム１１ではなく、液晶ディスプレイのシャシなどに取り付けられても良く、有る程度の剛性を有するように形成された反射板１０に直接取り付けられても良い。また、電源部材６０として剛性の高いＰＣＢ、或いはＧＮＤ板を挿入窓２１ｍから挿し込んで電源接触部４５と強固に接続できれば、他にコネクタ２０を支持するための部材が不要となるので、上記フレーム１１、シャシさえも不要となる。
【００６１】
また、本実施形態では、上述の熱伸縮吸収構造を有するコネクタ２０を一対配してその間に蛍光灯３０をセットする例を図示したが、一対の内、一方のみを熱伸縮吸収構造のコネクタ２０とし、他方は熱伸縮吸収構造を省略したコネクタ２０としてもよい。この場合、他方のコネクタ２０は、固定部２１と浮動部２２とが一体となったコネクタハウジング２４を備えることになる。
【図面の簡単な説明】
【００６２】
【図１】液晶ディスプレイ（図示せず）の背面に配設される反射板の辺りを液晶ディスプレイ側から見た模型的斜視図である。
【図２】液晶ディスプレイの反射板の辺りを反液晶ディスプレイ側から見た模型的斜視図である。
【図３】図１の部分拡大図である。
【図４】図３のIV−IV線断面図である。
【図５】図４のV−V線断面図である。
【図６】コネクタの各構成部品を示す分解斜視図である。
【図７】係合部としてのロック爪の説明図であり、（ａ）は正面図、（ｂ）は側面図、（ｃ）は平面図である。
【図８】ロック爪に被係合部が係合する様子を示す正面断面図である。
【符号の説明】
【００６３】
２０  バックライト用コネクタ
２１  固定部
２１ｃ  支台
２２  浮動部
２２ｔ  係合部としてのロック爪
２２ｍ  挿通溝
２４  コネクタハウジング
２３  アクチュエータ
２３ｃ  切欠部
２３ｈ  被係合部
２３ｑ  端子押圧部
３０  バックライトとしての蛍光灯
３０ｒ  リード線
４０  端子
４１ｋ  挟持部
４１ｈ  被押圧部
７０  ロック機構
【図１】
2009076305.tif 000003
【図２】
2009076305.tif 000004
【図３】
2009076305.tif 000005
【図４】
2009076305.tif 000006
【図５】
2009076305.tif 000007
【図６】
2009076305.tif 000008
【図７】
2009076305.tif 000009
【図８】
2009076305.tif 000010